(57)【要約】【課題】この考案は、正確な瞳孔幅を容易に確認することが出来る眼科用測定器を提供する。    【解決手段】この考案は、板状のスケール板２１の一側縁２１ａに各サイズの瞳孔幅に対応した径を有する半円径塗潰し部１０を複数個形成するようにした眼科用測定器２０において、前記スケール板２１に前記各半円径塗潰し部１０に対応する径を有する孔３０を穿設するようにした。  【選択図】  図１
0003120356.tif 000002
【実用新案登録請求の範囲】
【請求項１】
板状のスケール板の一側縁に各サイズの瞳孔幅に対応した径を有する半円径塗潰し部を複数個形成するようにした眼科用測定器において、
前記スケール板に前記各半円径塗潰し部に対応する径を有する孔を穿設するようにしたことを特徴とする眼科用測定器。
【請求項２】
前記スケール板には、瞳孔間距離を測定するための測定スケールが形成されていることを特徴とする請求項１に記載の眼科用測定器。
【請求項３】
前記スケール板には、角膜頂点測定のための測定スケールが形成されていることを特徴とする請求項１に記載の眼科用測定器。
【請求項４】
前記スケール板には、斜視測定用のスケールが形成されていることを特徴とする請求項１に記載の眼科用測定器。
【請求項５】
前記スケール板には、瞳孔間距離を測定するための測定スケールと、角膜頂点測定のための測定スケールと、斜視測定用のスケールとが形成されていることを特徴とする請求項１に記載の眼科用測定器。
【考案の詳細な説明】
【技術分野】
【０００１】
この考案は目の各種寸法を計測する眼科用測定器の改良に関する。
【背景技術】
【０００２】
一般に、目の各種寸法を測定する機器として、眼科用測定器（ophthalmic- measure）が使用されている。
【０００３】
図３は、従来の眼科用測定器１を示す正面図である。
【０００４】
この眼科用測定器１は、各種のスケール及び孔が形成されたスケール板２から構成されており、このスケール板２の上縁に瞳孔間距離を測定するための測定スケール３が形成され、また、中央部分には同様に瞳孔間距離を測定する測定スケールである小さな孔４と横長の矩形状スリット５が穿設されている。
【０００５】
また、このスケール板２の左右には、左右の目の角膜頂点測定のための測定スケールである一対の矩形状スリット６，７が穿設されている。
【０００６】
さらに、このスケール板２の上縁左方には、斜視測定用のスケール８が形成されている。
【０００７】
一方、このスケール板２の下縁２ａには、目の瞳孔幅を測定する測定スケールとして、各サイズの瞳孔幅に対応した径を有する半円径塗潰し部１０あるいは円形塗潰し部１０ａが複数個形成されている。
【０００８】
この瞳孔幅を測定するための半円径の塗潰し部１０の使用方法は、図４に示すように、目１１の瞳の瞳孔１２の正面に、この瞳孔１２の幅と対応する半円径の塗潰し部１０をかざし、これにより瞳孔幅と対応する半円径の塗潰し部１０を選択し、そのスケール値（図面では５．０ミリ）を読み取ることによって瞳孔幅を測定する。
【０００９】
また、円形塗潰し部１０ａを使用する場合は、目測により瞳孔幅に対応すると思われる円形塗潰し部１０ａを目１１の瞳の瞳孔１２の正面付近にかざして測定するものである。
【考案の開示】
【考案が解決しようとする課題】
【００１０】
ところで、上述した従来の眼科用測定器１によると、半円径の塗潰し部１０を使用する場合は、瞳の瞳孔１２の正面に、この瞳孔１２の幅と対応する半円径の塗潰し部１０をかざす構造であるから、図５で示すように、瞳孔１２の中心１２ａを正確に通過するように、半円径塗潰し部１０が形成された測定器１の下縁２ａを配置することが、正確な瞳孔幅Ｓを測定する上で必要となる。
【００１１】
しかしながら、半円径の塗潰し部１０を使用する場合は、瞳の瞳孔１２の正面に、この瞳孔１２の幅と対応する半円径の塗潰し部１０をかざす構造であるから、この瞳孔１２の中心１２ａより上下に測定器１の下縁２ａがずれた場合であっても、そのずれを確認しずらく、このため正確な瞳孔幅を簡単に測定することが困難であった。
【００１２】
また、円形塗潰し部１０ａを使用する場合は、瞳孔幅に対応すると思われる円形塗潰し部１０ａを目１１の瞳の瞳孔１２の正面付近にかざして目測により測定するから、この場合も正確な瞳孔幅を簡単に測定することが困難であった。
【００１３】
この考案は、上述した事情に鑑み、正確な瞳孔幅を容易に確認することが出来る眼科用測定器を提供することを目的とする。
【課題を解決するための手段】
【００１４】
上述した課題を解決するため、この考案では、板状のスケール板の一側縁に各サイズの瞳孔幅に対応した径を有する半円径塗潰し部を複数個形成するようにした眼科用測定器において、前記スケール板に前記各半円径塗潰し部に対応する径を有する孔を穿設するようにしている。
【考案の効果】
【００１５】
上述した、眼科用測定器によると、目の瞳孔幅を測定する場合、前記半円径塗潰し部に対応する径を有する孔を目にかざし、これにより瞳孔が全て埋まる孔を検索すればよく、この場合は従来の如く半円径塗潰し部を使用して瞳孔幅を測定する場合に必要な瞳孔の中心を検索する必要がないから、簡単かつ正確に瞳孔幅を測定することが出来る。
【考案を実施するための最良の形態】
【００１６】
以下、この考案に係る眼科用測定器の位置実施例を詳述する。
【００１７】
図１はこの考案に係る眼科用測定器２０の一実施例を示す平面図で、図３と同一部分を同一符号で示す。
【００１８】
この眼科用測定器２０でも、従来と同様に、各種のスケール及び孔が形成されたスケール板２１の上縁には瞳孔間距離を測定するための測定スケール３が形成され、また、中央部分には同様に瞳孔間距離を測定する小さな孔４と横長の矩形状スリット５が穿設されている。
【００１９】
また、このスケール板２１の左右にも、従来と同様に、左右の目の角膜頂点測定のための一対の矩形状スリット６，７が穿設され、さらに、このスケール板２１の上縁左方にも、従来と同様に斜視測定用のスケール８が形成されている。
【００２０】
また、このスケール板２１の下縁２１ａには、これも従来と同様に目の瞳孔幅を測定するため、各サイズの瞳孔幅に対応した径を有する半円径塗潰し部１０が複数個形成されている。
【００２１】
一方、この測定器２０のスケール板２１では、瞳孔幅を測定するための半円径の塗潰し部１０と対応する位置に、該半円径塗潰し部の径に対応する径を有する複数の円形の孔３０が穿設されている。
【００２２】
このように、スケール板２１に、半円径塗潰し部１０の径に対応する径を有する複数の孔３０を穿設すると、図２に示すように、目１１の瞳孔幅Ｓを測定する場合、半円径塗潰し部１０に対応する径を有する孔３０を目にかざし、これにより瞳孔１２が全て埋まる孔３０を探して選択し、その選択した孔３０のスケール値を読むようにする。この場合は半円径塗潰し部１０を使用して瞳孔幅Ｓを測定する場合に必要な瞳孔１２の中心１２ａ（図５参照）を検索する必要がないから、簡単かつ正確な瞳孔幅Ｓ（図２では６．０ミリ）を測定することが出来ることとなる。
【００２３】
なお、上記実施例では、スケール板２１に瞳孔間距離を測定するための測定スケール３、また瞳孔間距離を測定するための小さな孔４と横長の矩形状スリット５、左右の目の角膜頂点測定のための一対の矩形状スリット６，７、および斜視測定用のスケール８を形成するようにしたが、この考案は上記実施例に限定されることなく、上述した各測定スケールをスケール板２１に形成しないものに適用してもよく、また上述した各測定スケールのいずれか一つあるいは２つ以上適用したスケール板２１に適用してもよい。
【産業上の利用可能性】
【００２４】
以上のように、この考案は、正確な瞳孔幅を容易に確認することが出来る眼科用測定器に適している。    
【図面の簡単な説明】
【００２５】
【図１】図１はこの考案に係る眼科用測定器の平面図。
【図２】図２はこの考案に係る眼科用測定器の使用方法を示す平面図である。。
【図３】図３は従来の眼科用測定器の平面図。
【図４】図４は従来の眼科用測定器における瞳孔幅の測定方法を示す平面図。
【図５】図５は従来の眼科用測定器における瞳孔幅の測定原理を示す概念図。
【符号の説明】
【００２６】
３，４，５…瞳孔間距離を測定するための測定スケール
６，７…角膜頂点測定のための測定スケール
８…斜視測定用のスケール
１０…半円径塗潰し部
２０…眼科用測定器
２１…スケール板
２１ａ…一側縁
３０…半円径塗潰し部に対応する径を有する孔
【図１】
0003120356.tif 000003
【図２】
0003120356.tif 000004
【図３】
0003120356.tif 000005
【図４】
0003120356.tif 000006
【図５】
0003120356.tif 000007